(57)【特許請求の範囲】
【請求項１】
塗料が塗装される被塗面(21)を有するパネルに凸曲面(211)と凹曲面(214)とが隣接されてなる凸凹曲面同時観察部を１以上有し、
前記凸曲面(211)はパネルの横方向の断面においてアーチ形をなすと共に、該凸曲面はアーチ形のパネル縦断面におけるパネル前面側への突出高さが最大となる部位が該凸曲面横方向に連続した仮想頂線(211b)をなし、該仮想頂線の横方向中央から前記凹曲面(214)寄りに、該凸曲面(211)のパネル前面側への突出高さが最大となる頂点(211c)を有し、
前記仮想頂線(211b)は、前記凸曲面と前記凹曲面との境界線(25)から前記凹曲面とは反対の側に延在し、前記頂点(211c)から前記凸曲面横方向に離隔するほど突出高さが低くなっていることを特徴とする塗色評価パネル。
【請求項２】
前記凹曲面(214)は、前記凸曲面(211)との境界線(25)と前記仮想頂線(211b)との交点(26)からパネル横方向において前記頂点(211c)とは反対の側へ向かってパネル裏面側へ傾斜して延在する谷底線(214a)を有する断面円弧状に形成され、しかも前記交点(26)から前記仮想頂線(211b)とは反対の側へ行くに従ってパネル縦方向の寸法が増大する末広がり形状に形成されている請求項１に記載の塗色評価パネル。
【請求項３】
前記被塗面(21)は、前記凸曲面(211)のその横方向に延在する端縁に沿って該凸曲面と並列に横方向に延在し、横方向中央部に頂点(212a)を有する細長形状の長凸曲面(212)をさらに有する請求項１又は２に記載の塗色評価パネル。
【請求項４】
凸曲面と凹曲面との境界線は、前記仮想頂線(211b)との交点(26)を有し、前記交点(26)から両側の部分がパネル横方向において前記交点(26)から前記仮想頂線(211b)とは反対の側に位置する円弧状である請求項１〜３のいずれか１項に記載の塗色評価パネル。
【請求項５】
前記被塗面を形成するパネル本体の外周に、係合孔が形成された突片が突設されている請求項１〜４のいずれか１項に記載の塗色評価パネル。
【請求項６】
板状材を部分的成形して前記凸曲面及び前記凹曲面を形成したパネル本体であって、前記板状材同士を、前記凸曲面の形成箇所同士、及び前記凹曲面の形成箇所同士の重ね合わせによって積層状態として、複数をスタッキング可能とされている請求項１〜５のいずれか１項に記載の塗色評価パネル。
【請求項７】
前記被塗面を形成するパネル本体がアルミニウム板からなる一体成形品である請求項１〜６のいずれか１項に記載の塗色評価パネル。
【請求項８】
前記被塗面に塗料を塗装して形成した塗膜を有する請求項１〜７のいずれか１項に記載の塗色評価パネル。
【発明の詳細な説明】
【技術分野】
【０００１】
本発明は、塗料を塗装してその塗色（塗料を物品に塗装し、乾燥及び／又は硬化して得られる塗膜の色。複層塗膜形成方法によって複数層の塗膜を形成して得られる色を含む）の評価に用いる塗色評価パネルに関する。
【背景技術】
【０００２】
物品に塗装した塗料の塗色の中で、特に、観察角度によって色の見え方が変化するもの（メタリック塗色など）を目視で評価する場合は、従来、二次元形状の試験板に塗料を塗装して塗色を目視評価することが行われている。
この場合、観察角度による色の変化を観察、評価するには、照明、試験板、観察者の目の相対位置を変えて評価を行う。
なお、塗色評価に関する技術を開示する公知文献としては後述の特許文献１、２を挙げることが出来る。
【先行技術文献】
【特許文献】
【０００３】
【特許文献１】特開２００４−５３２６０号公報
【特許文献２】特開２００４−２７１４６７号公報
【発明の概要】
【発明が解決しようとする課題】
【０００４】
また、物品に塗装した塗料の塗色について、塗膜に対して特定の角度（例えば塗膜表面に対して４５度傾斜した方向）から照明光を照射して塗膜を観察した場合において正反射光の影響を大きく受ける部分（ハイライト）及び影響を受けない部分（シェード）の色を同時に観察、評価（色、光沢、平滑性や、メタリック感、深み感といった質感の評価）する方法のひとつとして、例えば直線状の稜線を有する山形に接曲加工した三次元形状の試験板（以下、山形接曲板とも言う）に塗料を塗装して、塗色を評価する塗色評価方法もある。山形接曲板は互いに向きが異なる２つの平面を有する構造となっている。この山形接曲板を用いる評価方法では、照明、試験板、観察者の目の相対位置を変えても色の変化が単純なため、ハイライト及びシェードの色の評価に不充分な場合があった。
【０００５】
本発明は、上述の事情に鑑みて、ハイライト及び／又はシェードを含む塗色評価をより的確に行うことを可能にする塗色評価パネルの提供を目的としている。
【課題を解決するための手段】
【０００６】
上記課題を解決するために、本発明では以下の構成を提供する。
なお、本発明においては、以下に述べる凸曲面における仮想頂線の延在する方向を「横方向」、これに垂直の方向を「縦方向」と称する。
第１の発明は、塗料が塗装される被塗面を有するパネルに凸曲面と凹曲面とが隣接されてなる凸凹曲面同時観察部を１以上有し、前記凸曲面はパネルの横方向の断面においてアーチ形をなすと共に、該凸曲面はアーチ形のパネル縦断面におけるパネル前面側への突出高さが最大となる部位が該凸曲面横方向に連続した仮想頂線をなし、該仮想頂線の横方向中央から前記凹曲面寄りに、該凸曲面のパネル前面側への突出高さが最大となる頂点を有し、前記仮想頂線は、前記凸曲面と前記凹曲面との境界線から前記凹曲面とは反対の側に延在し、前記頂点から前記凸曲面横方向に離隔するほど突出高さが低くなっていることを特徴とする塗色評価パネルを提供する。
第２の発明は、前記凹曲面は、前記凸曲面との境界線と前記仮想頂線との交点からパネル横方向において前記頂点とは反対の側へ向かってパネル裏面側へ傾斜して延在する谷底線を有する断面円弧状に形成され、しかも前記交点から前記仮想頂線とは反対の側へ行くに従ってパネル縦方向の寸法が増大する末広がり形状に形成されている第１の発明の塗色評価パネルを提供する。
第３の発明は、前記被塗面は、前記凸曲面のその横方向に延在する端縁に沿って該凸曲面と並列に横方向に延在し、横方向中央部に頂点を有する細長形状の長凸曲面をさらに有する第１又は２の発明の塗色評価パネルを提供する。
第４の発明は、凸曲面と凹曲面との境界線は、前記仮想頂線との交点を有し、前記交点から両側の部分がパネル横方向において前記交点から前記仮想頂線とは反対の側に位置する円弧状である第１〜３のいずれか１つの発明の塗色評価パネルを提供する。
第５の発明は、前記被塗面を形成するパネル本体の外周に、係合孔が形成された突片が突設されている第１〜４のいずれか１つの発明の塗色評価パネルを提供する。
第６の発明は、板状材を部分的成形して前記凸曲面及び前記凹曲面を形成したパネル本体であって、前記板状材同士を、前記凸曲面の形成箇所同士、及び前記凹曲面の形成箇所同士の重ね合わせによって積層状態として、複数をスタッキング可能とされている第１〜５のいずれか１つの発明の塗色評価パネルを提供する。
第７の発明は、前記被塗面を形成するパネル本体がアルミニウム板からなる一体成形品である第１〜６のいずれか１つの発明の塗色評価パネルを提供する。
第８の発明は、前記被塗面に塗料を塗装して形成した塗膜を有する第１〜７のいずれか１つの発明の塗色評価パネルを提供する。
【発明の効果】
【０００７】
本発明の塗色評価パネルによれば、凸曲面及び凹曲面がそれぞれ１以上形成されている被塗面を有するため、該塗色評価パネルの向きを固定した状態で、特定の方向から塗色評価用の光を照射して、特定場所から観察することで、照明、パネル、観察者の相対位置を動かさずに、被塗面に塗料を塗装して形成した面（塗装表面）についてハイライト及び／又はシェードを含む塗色評価を充分に効率良く行うことができる。また、観察角度によって色の見え方が異なる塗色について、異なる角度における色を同時に評価できる。
【図面の簡単な説明】
【０００８】
【図１】本発明の１実施形態の塗色評価パネルを示す斜視図である。
【図２】図１の塗色評価パネルを示す図であって、（ａ）は第１縦辺側から見た側面図、（ｂ）はパネル前面側から見た正面図、（ｃ）は第２縦辺側から見た側面図である。
【図３】図１の塗色評価パネルを、第１横辺側から見た側面図である。
【図４】図１の塗色評価パネルを、第２横辺側から見た側面図である。
【図５】図２（ｂ）のＡ−Ａ線断面矢視図である。
【図６】図２（ｂ）のＢ−Ｂ線断面矢視図である。
【図７】図２（ｂ）のＣ−Ｃ線断面矢視図である。
【図８】図１の塗色評価パネルのパネル支持部材に対する吊支状態の一例を示す図である。
【図９】（ａ）、（ｂ）は、図１の塗色評価パネルの被塗面に形成する塗膜構造の一例を示す断面図である。
【図１０】図１の塗色評価パネルのスタッキング状態を示す図である。
【図１１】（ａ）、（ｂ）は、塗色評価パネルの吊支用係合部の別態様を説明する図である。
【発明を実施するための形態】
【０００９】
以下、本発明の１実施形態の塗色評価パネルについて、図面を参照して説明する。
図１、図２（ａ）〜（ｃ）に示すように、ここで説明する塗色評価パネル１０は、四角板状の面板部２２を有するパネル本体２０と、このパネル本体２０の外周の互いに並行に延在する２組の辺のうちの１組から突設された吊支用係合部３０とを有している。
図示例の塗色評価パネル１０は、その片面が塗料が塗装される被塗面２１とされた概略四角板状に形成されている。
【００１０】
なお、塗色評価パネル１０について、以下、該塗色評価パネル１０をパネル本体２０を介して被塗面２１側である前面側から見たときに、パネル本体２０の両側の吊支用係合部３０が設けられている１組の辺２４ａ、２４ｂの間隔方向と一致する方向（図２（ａ）〜（ｃ）における上下方向）を縦方向（あるいはパネル縦方向）、前記縦方向に直交する方向（図２（ｂ）における左右方向）を横方向（あるいはパネル横方向）として説明する。
また、塗色評価パネル１０について、塗色評価パネル１０を前面側から見たときの奥行き方向（図２（ａ）、（ｃ）における左右方向、図３〜図７における上下方向）を、前後方向（あるいはパネル前後方向）として説明する。
【００１１】
図示例の塗色評価パネル１０は、１枚の金属薄板を加工して所望形状に成形してなる一体成形品である。塗色評価パネル１０を得るために、金属薄板を所望形状に成形するための加工としては、曲げ加工、絞り加工、しごき等を挙げることができる。
塗色評価パネル１０を形成する金属薄板としては、軽量化及び耐食性の点でアルミニウム板を好適に用いることができる。図示例の塗色評価パネル１０は、具体的には、金属薄板としてアルミニウム板を採用している。軽量の塗色評価パネル１０は、可搬性の確保に有利である他、傾動させることで照明、試験板、観察者の目の相対位置を変えることも楽に行えるといった利点がある。
但し、塗色評価パネル１０は可搬性を確保できる重量であれば良く、金属薄板の材質に限定は無い。
【００１２】
塗色評価パネル１０は金属薄板を成形した一体成形品に限定されず、例えばプラスチック製の一体成形品であっても良い。
また、塗色評価パネル１０は、全体が一体成形された構成に限定されず、例えばパネル本体２０に該パネル本体２０とは別体の吊支用係合部を取り付けた構成であっても良い。塗色評価パネル１０は、複数部材によって組み立てられた構成であっても良い。
但し、塗色評価パネル１０のパネル本体２０は、凸曲面及び凹曲面を有する所望形状の被塗面２１を精度良く得るとともに、その形状安定性を保つ点で、金属薄板を採用することが好ましい。
【００１３】
図１、図２（ａ）〜（ｃ）に示すように、塗色評価パネル１０のパネル本体２０は、四角板状の面板部２２と、この面板部２２の縦方向両側に位置する２辺２４ａ、２４ｂ（第１横辺２４ａ、第２横辺２４ｂ）から被塗面２１とは反対の裏面側に突設された曲げ片部２３とを有している。
前記曲げ片部２３は、面板部２２の縦方向両側の２辺に沿って各辺の全長にわたって延在形成された板状片である。前記吊支用係合部３０は、面板部２２から突出する前記曲げ片部２３の突端から、パネル縦方向において対向する相手側の曲げ片部２３とは反対側へ突出されている。
【００１４】
図示例の塗色評価パネル１０において、曲げ片部２３は、具体的には、塗色評価パネル１０を形成する金属薄板を面板部２２の縦方向両側の２辺２４ａ、２４ｂから折り曲げて面板部２２裏面側へ突出させたものである。
前記吊支用係合部３０は、具体的には、塗色評価パネル１０を形成する金属薄板を、曲げ片部２３の突端から、パネル縦方向において対向する相手側の曲げ片部２３とは反対側へ折り曲げた板状突片である。以下、この吊支用係合部３０を板状突片とも言う。この吊支用係合部３０は、パネル縦方向両側の２辺２４ａ、２４ｂに沿って延在する細長板状の曲げ片部２３の延在方向全長にわたって形成されている。
【００１５】
前記吊支用係合部３０には、例えば建物の壁、支柱といったパネル支持部材４０（図８参照）に取り付けられた吊支具４１（図８参照）に突設された鉤状の係止片４１ａを挿入するための係合孔３１（吊支用係合孔）が開口されている。塗色評価パネル１０は、前記吊支用係合部３０の係合孔３１に前記吊支具４１の係止片４１ａを通して吊支用係合部３０を吊支具４１の係止片４１ａに外挿することで、パネル支持部材４０に吊支できる。
吊支具４１としては、塗色評価パネル１０の吊支用係合部３０を係合させることで塗色評価パネル１０を吊支できるものであれば良く、鉤状の係止片４１ａを有するものに限定されない。吊支具４１としては、例えばパネル支持部材４０から水平あるいは斜め上方へ向かって突出するピン状の係止片を有するもの等も採用可能である。
【００１６】
図２（ｂ）、図６〜図７に示すように、図示例の塗色評価パネル１０のパネル縦方向両側の板状突片３０は、パネル支持部材４０に当接可能な当接面３０ａを、同一仮想平面（当接基準面Ｓ）に重なる位置に形成している。また、図示例の塗色評価パネル１０において、曲げ片部２３の突端は、前記当接基準面Ｓに位置する。
【００１７】
図８は、パネル支持部材４０に吊支した塗色評価パネル１０のパネル縦方向両側あるいは下側の吊支用係合部３０の当接面３０ａが壁面４２から僅かに離隔して配置された状態を示している。
前記塗色評価パネル１０は、例えばパネル縦方向両側の板状突片３０の当接面３０ａを建物の壁面、床面といった平坦面に当接させると、前記平坦面に対してぐらつくことなく、パネル本体２０の面板部２２が前記平坦面に沿う姿勢を安定に維持できる。
前記塗色評価パネル１０は、図８に示すように、例えば建物の壁（パネル支持部材４０）に取り付けられた吊支具４１にパネル縦方向片側の吊支用係合部３０を係合させて吊支したときに、パネル縦方向両側あるいは下側の吊支用係合部３０の当接面３０ａを前記壁の壁面４２に当接させることも可能である。
【００１８】
次に、パネル本体２０の被塗面２１について説明する。
図示例の塗色評価パネル１０は、該塗色評価パネル１０を構成する金属薄板の片面（前面側の面。第１〜３凸曲面２１１、２１２、２１３が形成されている側の面）全体が、塗料を塗装可能な被塗面２１となっている。
但し、この塗色評価パネル１０を塗料の塗色評価に用いる場合、必ずしもパネル本体２０以外に塗料を塗装する必要は無い。
【００１９】
この塗色評価パネル１０の好適な使用方法の一つは、少なくともパネル本体２０の面板部２２の前面側の面全体に塗料を塗装して、塗色評価に用いることである。この点、塗色評価パネル１０は、少なくともパネル本体２０の面板部２２の前面側の面全体が、塗料を塗装可能な被塗面である構成を採用する。
また、この塗色評価パネル１０は、面板部２２の縦方向両端の横辺２４ａ、２４ｂからパネル裏面側に突出する一対の曲げ片部２３の互いに対向する内面とは反対の外面にも塗料が塗装されていれば、これも塗料の塗色評価に用いることができる。この点、塗色評価パネル１０は、該パネル１０を構成する板状材（具体的には金属薄板）の第１〜３凸曲面２１１、２１２、２１３が形成されている側の面のうち、少なくともパネル本体２０に位置する部分全体が被塗面である構成とすることもできる。
【００２０】
図示例の塗色評価パネル１０については、該パネル１０を構成する板状材（具体的には金属薄板）におけるパネル本体２０を形成する部分の片面全体、すなわち面板部２２の前面側の面全体、及び該面板部２２の縦方向両側の横辺２４ａ、２４ｂからパネル裏面側に突出する一対の曲げ片部２３の対向する相手側の曲げ片部２３とは反対側の面（外面）を被塗面２１として説明する。また、被塗面２１のうち、面板部２２の前面側の面を、以下、被塗主面２１ａとも言う。
【００２１】
図１、図２（ａ）〜（ｃ）に示すように、図示例の塗色評価パネル１０の被塗主面２１ａは、３つの凸曲面（第１凸曲面２１１、第２凸曲面２１２、第３凸曲面２１３）と、ひとつの凹曲面２１４とを有している。各凸曲面２１１、２１２、２１３及び凹曲面２１４は、いずれも、塗色評価パネル１０のパネル本体２０の面板部２２を湾曲成形した部分によって形成されている。
なお、図２（ａ）、（ｃ）に示すように、パネル本体２０の面板部２２は、全体がパネル裏面側の当接基準面Ｓからパネル前面側に離隔しており、前記当接基準面Ｓと重なる箇所が存在しない。
【００２２】
第１、２凸曲面２１１、２１２は、塗色評価パネル１０のパネル本体２０の面板部２２を、パネル前面側に膨出する凸形に湾曲成形した部分によって形成されている。
図１、図６に示すように、第１凸曲面２１１は、塗色評価パネル１０のパネル横方向に垂直の断面における形状がパネル前面側に凸で緩やかに湾曲するアーチ形で、パネル横方向に延在する湾曲面である凸曲主面２１１ａと、この凸曲主面２１１ａのパネル横方向片端から延出された延長部２１１ｄ、２１１ｅ（後述）とを有する。
【００２３】
図１、図２（ｂ）に示すように、前記凸曲主面２１１ａは、パネル横方向において凹曲面２１４と隣接して形成されている。
前記凹曲面２１４は、前記凸曲主面２１１ａのパネル縦方向中央部に隣接し、パネル横方向において前記凸曲主面２１１ａから離隔するにしたがってパネル縦方向寸法が増大する末広がり形状に形成されている。また、凹曲面２１４の凸曲主面２１１ａとは反対側の端部は、面板部２２のパネル横方向両端のパネル縦方向に延在する縦辺（第１縦辺２７ａ、第２縦辺２７ｂ）の片方である第１縦辺２７ａに達している。
前記第１凸曲面２１１は、前記凸曲主面２１１ａから凹曲面２１４のパネル縦方向両側に延出する延長部２１１ｄ、２１１ｅを有している。前記延長部２１１ｄ、２１１ｅは、その内側に位置する凹曲面２１４の外周のうち第１縦辺２７ａを除く部分と隣接している。
第１凸曲面２１１は、そのパネル横方向の片端が、パネル横方向において前記凸曲主面２１１ａから離隔するにしたがってパネル縦方向寸法が増大する末広がり形状の凹曲面２１４の外周（第１縦辺２７ａを除く）に隣接して形成されている。凹曲面２１４は、第１縦辺２７ａを除く外周全体が第１凸曲面２１１に隣接して形成されている。この塗色評価パネル１０において、第１凸曲面２１１と凹曲面２１４とはパネル横方向に互いに隣接して形成された状態となっている。
【００２４】
なお、第１凸曲面２１１の一対の延長部２１１ｄ、２１１ｅは、凸曲主面２１１ａから連続し、パネル横方向に垂直の断面における形状がパネル前面側に凸で緩やかに湾曲するアーチ形の仮想湾曲面に重なる湾曲面となっている。
【００２５】
図２（ｃ）、図６に示すように、第１凸曲面２１１は、そのパネル縦方向における中央部がパネル前面側への突出が最大の部位（頂点）となっている。図２（ｂ）中符号２１１ｂは、第１凸曲面２１１の凸曲主面２１１ａの延在方向にわたって、前記凸曲主面２１１ａのパネル縦方向の頂点を示す仮想頂線である。この仮想頂線２１１ｂは、パネル横方向に延在している。
第１凸曲面２１１の凸曲主面２１１ａは、面板部２２のパネル横方向において第１縦片２７ａとは反対側に位置する第２縦辺２７ｂに達している。仮想頂線２１１ｂは、前記交点２６からパネル横方向に延在して面板部２２の第２縦辺２７ｂに達している。
【００２６】
図３、図４、図７に示すように、前記仮想頂線２１１ｂは、前記境界線２５と交わる交点２６から、前記凹曲面２１４とは反対の側へ若干ずれた位置をパネル前後方向におけるパネル前面側への頂点２１１ｃ（図示例の塗色評価パネル１０においては当接基準面Ｓからの距離が最大の箇所）として、緩やかに湾曲するアーチ形を描く曲線となっている。この仮想頂線２１１ｂは、前記頂点２１１ｃからパネル横方向両側に向かって、緩やかな湾曲を以てパネル裏面側へ傾斜して延在している。
【００２７】
図示例の塗色評価パネル１０は、前記仮想頂線２１１ｂの頂点２１１ｃが、第１凸曲面２１１の頂点となっている。以下、仮想頂線２１１ｂの頂点２１１ｃを、第１凸曲面２１１の頂点として扱う。
なお、図示例の塗色評価パネル１０において、第１凸曲面２１１の頂点２１１ｃは、パネル本体２０の被塗主面２１ａの中央部に位置する。
【００２８】
塗色評価パネル１０において、仮想頂線２１１ｂの延在方向両端、すなわち該仮想頂線２１１ｂと境界線２５との前記交点２６、及び仮想頂線２１１ｂと第２縦辺２７ｂとの交点は、パネル前後方向において、第１凸曲面２１１の頂点２１１ｃからパネル裏面側へ若干ずれた所に位置する。
【００２９】
図２（ａ）、図５に示すように、凹曲面２１４は、塗色評価パネル１０のパネル本体２０の面板部２２を、パネル裏面側に窪ませた凹形に湾曲成形した部分によって形成されている。この凹曲面２１４は、塗色評価パネル１０のパネル横方向に垂直の断面（横断面）における形状が、パネル裏面側へ窪む凹形の円弧状になっている。
図１、図２（ａ）、（ｂ）に示すように、凹曲面２１４は、パネル横方向に延在する谷底部（谷底線２１４ａ（仮想線）及びその近傍）を有する断面円弧状の溝状に形成されている。この凹曲面２１４は、その谷底線２１４ａに垂直の断面において、谷底線２１４ａから離隔するにしたがって湾曲半径が次第に縮小あるいは増大する円弧状の湾曲面、湾曲半径が互いに異なる複数の湾曲面が連続してなる湾曲面、のいずれであっても良い。また、この凹曲面２１４は、全体が一定半径で湾曲する湾曲面であっても良い。
この凹曲面２１４の谷底線２１４ａは、前記交点２６で前記境界線２５と交差する。この谷底線２１４ａは、パネル横方向において前記交点２６から第１凸曲面２１１の頂線２１１ｂとは反対の側（第１縦辺２７ａ側）へ向かって、パネル裏面側へ傾斜して延在し、第１縦辺２７ａに達している。
【００３０】
図示例の塗色評価パネル１０において、前記谷底線２１４ａは、前記交点２６から第１縦辺２７ａ側へ真っ直ぐに延在する直線となっている。
但し、この凹曲面２１４としては、前記谷底線２１４ａが直線になっているものに限定されない。凹曲面２１４としては、前記谷底線２１４ａが、前記２６から第１縦辺２７ａ側へ行くにしたがって、パネル前後方向に対する傾斜角度が次第に大きくなる曲線となっている構成も採用可能である。
【００３１】
図１、図２（ａ）、（ｂ）に示すように、凹曲面２１４は、パネル横方向においてパネル本体２０の面板部２２の第１縦辺２７ａに達しており、前記谷底線２１４ａも第１縦辺２７ａに達している。凹曲面２１４は、前記交点２６から第１縦辺２７ａ側へ行くにしたがって、パネル縦方向の寸法である幅寸法が増大する末広がり形状に形成されている。
第１凸曲面２１１と凹曲面２１４との境界線２５は、前記交点２６を頂点とする円弧状の曲線となっている。また、境界線２５は、前記交点２６から、パネル本体２０の面板部２２の第１縦辺２７ａ側に向かってパネル裏面側へ傾斜して延在し、第１縦辺２７ａに達している。
第１凸曲面２１１の延長部２１１ｄ、２１１ｅは、前記交点２６から、末広がり形状の凹曲面２１４の外周に沿って延在して、凹曲面２１４のパネル縦方向両側に形成され、前記第１縦辺２７ａに達している。
【００３２】
図１、図２（ａ）、（ｂ）に示すように、第１凸曲面２１１の一対の延長部２１１ｄ、２１１ｅの一方（符号２１１ｄの延長部。以下、第１延長部とも言う）は、凹曲面２１４とパネル本体２０の面板部２２の第１横辺２４ａとの間に延在し、他方の延長部（符号２１１ｅの延長部。以下、第２延長部とも言う）は、面板部２２の第２横辺２４ｂに沿って形成された第２、第３凸曲面２１２、２１３と凹曲面２１４との間に延在している。
【００３３】
図示例の塗色評価パネル１０において、第１延長部２１１ｄは、そのパネル縦方向における一方の側が面板部２２の第１横辺２４ａに達し、パネル縦方向における他方の側が凹曲面２１４に隣接している。また、第１凸曲面２１１は、そのパネル縦方向の片側全体が前記第１横辺２４ａに達している。
【００３４】
図２（ａ）〜（ｃ）に示すように、パネル縦方向において第１凸曲面２１１の第１横辺２４ａとは反対側は、そのパネル横方向のほぼ全長にわたって、第２凸曲面２１２に沿ってその第１横辺２４ａ側に形成された第３凸曲面２１３と隣接している。第３凸曲面２１３は、パネル横方向において、第２凸曲面２１２の延在方向両端部を除く部分の全長にわたって第２凸曲面２１２に隣接して形成されている。第２凸曲面２１２と第３凸曲面２１３とは、パネル縦方向において互いに異なる曲率で湾曲する面である。第２凸曲面２１２と第３凸曲面２１３との間の境界線２８（変曲線。以下、第２境界線とも言う）は、第３凸曲面２１３の長手方向全長にわたって形成されており、パネル横方向両端の縦辺２４ａ、２４ｂに達していない。
なお、第２凸曲面２１２及び第３凸曲面２１３の具体的構成は後で説明する。
【００３５】
図１、図２（ａ）〜（ｃ）に示すように、第１凸曲面２１１と第３凸曲面２１３との間の境界線２９（以下、第３境界線とも言う）は、第１凸曲面２１１と第３凸曲面２１３との間の谷底線となっている。この第３境界線２９は、第３凸曲面２１３に沿ってパネル横方向に延在形成されている。
第２凸曲面２１２の延在方向両端部は、パネル本体２０の面板部２２のパネル横方向両端の縦辺２４ａ、２４ｂに達しており、第３凸曲面２１３を介することなく、第１凸曲面２１１のパネル横方向両端部と連続している。
【００３６】
図１、図２（ａ）〜（ｃ）に示すように、第２凸曲面２１２は、パネル本体２０の面板部２２の第２横辺２４ｂに沿ってパネル横方向に延在し、パネル前面側に向かって凸形に湾曲する概ねアーチ形に形成され、長手方向中央部に頂点２１２ａを有する細長形状の湾曲面（長凸曲面）となっている。
また、この第２凸曲面２１２は、その長手方向両端から長手方向中央部に接近するにしたがって、パネル縦方向の寸法が次第に大きくなる帯状に形成されている。
【００３７】
第２凸曲面２１２と第３凸曲面２１３との間の第２境界線２８は、第２横辺２４ｂからその第１横辺２４ａ側に若干離隔した位置にてパネル横方向に延在し、かつ、その長手方向中央部を頂点とする、パネル前面側に向かって凸形の曲線に形成されている。また、この第２境界線２８は、パネル前後方向において第２横辺２４ｂに比べてパネル前面側へ若干ずれた所に位置する。
【００３８】
第２凸曲面２１２は、パネル本体２０の被塗主面２１ａにおいて、第２境界線２８と第２横辺２４ｂとの間に形成されている。図２（ａ）、図６等に示すように、この第２凸曲面２１２は、パネル縦方向において、第２境界線２８から第２横辺２４ｂに向かってパネル裏面側に傾斜して延在している。しかも、この第２凸曲面２１２は、第２境界線２８から第２横辺２４ｂに接近するにしたがって、パネル前後方向に対する傾斜角度が次第に小さく（当接基準面Ｓに対する傾斜角度が次第に大きく）なるように湾曲している。
この第２凸曲面２１２の頂点２１２ａは、パネル前面側に向かって凸形に湾曲する曲線である第２境界線２８の頂点に位置する。
【００３９】
図２（ａ）、図６等に示すように、第１凸曲面２１１との境界の谷底線である第３境界線２９の長手方向両端を除く部分は、パネル縦方向において前記第２境界線２８から第１横辺２４ａ側に位置し、しかも、パネル前後方向において、前記第２境界線２８に比べてパネル裏面側に若干ずれた所に位置する。
第３凸曲面２１３は、前記第２境界線２８から第３境界線２９に向かってパネル裏面側に傾斜して延在している。しかも、この第３凸曲面２１３は、パネル縦方向において、第２境界線２８から第３境界線２９に接近するにしたがって、パネル前後方向に対する傾斜角度が次第に小さく（当接基準面Ｓに対する傾斜角度が次第に大きく）なるように湾曲している。
また、パネル前面側に向かって凸形に湾曲する曲線である第２境界線２８の頂点、すなわち、第２凸曲面２１２の頂点２１２ａは、第３凸曲面２１３の頂点を兼ねる。
【００４０】
前記塗色評価パネル１０は、その被塗面２１に塗料を塗装して、塗色評価に用いられる。被塗面２１には、塗料の塗装によって、塗色評価パネル１０を被塗面を形成する板状材の板厚に比べて格段に薄い塗膜を形成する。被塗面２１に形成した塗膜は、その表面が、塗色評価パネル１０の被塗面２１の形状に沿った形状となる。
被塗面２１への塗料の塗装によって形成される塗膜構造は特に限定は無く、周知のものを採用できる。被塗面２１に形成される塗膜構造は、塗色が適用される製品の素材や使用環境に応じて決定される。この塗膜構造は、実際の製品に適用される塗膜構造と同じものを適用できる。
但し、金属薄板としてアルミニウム板を用いて形成した塗色評価パネル１０は耐食性に優れるため、例えば鋼板への塗膜形成にて必要となる防錆用の化成処理層（例えば防錆塗料や亜鉛めっきといった耐食性素材からなる層）の形成を省略できる。したがって、アルミニウム板を用いて形成した塗色評価パネル１０は、塗料の塗装の手間及びコストの軽減、軽量化の点で有利である。
【００４１】
また、実際の製品に適用される塗膜構造が、金属薄板表面に直接接して形成される下塗り層（例えば防錆用化成処理層等）を覆う中塗り層に、顔料を含む塗膜層を有する上塗り層を積層した構造である場合は、その塗色評価のために塗色評価パネル１０の被塗面２１に形成する塗膜構造としては、例えば実際の製品に適用される塗膜構造と同じもの、あるいは実際の製品に適用される塗膜構造から下塗り層のみを省略したものを適用できる。下塗り層を省略した場合は、中塗り層が塗色評価パネル１０の被塗面２１に直接接する塗膜構造となる。
中塗り層は、下塗り層を隠蔽し、塗膜表面（上塗り層表面）の平滑性を確保する塗膜であり、ビヒクル形成成分と着色顔料とを含むものである。
なお、塗色評価パネル１０の被塗面２１に形成する塗膜構造は、適宜設計変更可能である。
【００４２】
図９（ａ）、（ｂ）は、アルミニウム板を用いて形成した塗色評価パネル１０の被塗面２１に、塗料の塗装によって形成する塗膜構造の例を示す。
図９（ａ）は、いわゆるメタリック塗色を得る塗膜構造の例を示す。この塗膜構造は、塗料を被塗面２１に直接塗布して形成した中塗り層５０に、例えばアルミフレーク、マイカフレークといった微細な鱗片状の光輝材を顔料とともにバインダ中に分散してなる塗料を塗布し乾燥及び／又は硬化させて形成したメタリックベース層５１を積層し、該メタリックベース層５１を覆う透明なトップクリアー層５２を積層した構成となっている。
【００４３】
図９（ｂ）は、いわゆるパール塗色を得る塗膜構造の例を示す。
この塗膜構造は、塗料を被塗面２１に直接塗布して形成した中塗り層６０に、バインダ中に着色顔料を分散した塗料を塗布して乾燥及び／又は硬化させたカラーベース層６１を積層し、例えば半透明な鱗片状基材を該鱗片状基材とは屈折率が異なる酸化チタン等の金属酸化物で被覆した干渉性の光輝性顔料、又は前記鱗片状基材を酸化鉄で被覆した着色性の光輝性顔料をバインダ中に分散してなる塗料をカラーベース層６１に塗布し乾燥及び／又は硬化させて形成したパールベース層６２を積層し、さらに該パールベース層６２を覆う透明なトップクリアー層６３を積層した構成となっている。
【００４４】
図９（ａ）のメタリックベース層５１、トップクリアー層５２、及び図９（ｂ）のカラーベース層６１、パールベース層６２、トップクリアー層６３は、いずれも塗料の塗布によって形成される膜状層である。
【００４５】
図９（ａ）、（ｂ）に示す塗膜構造は、いずれも、観察角度によって色の見え方が変化するものである。
但し、この塗色評価パネル１０は、凸曲面及び凹曲面がそれぞれ１以上形成されている被塗面を有する構成であるため、照明、塗膜付き塗色評価パネル、観察者の目の相対位置を変えなくても、この塗色評価パネル１０の被塗面２１に塗料を塗装して形成した塗膜の観察角度による色の見え方の違いを効率良く把握できる。
また、塗膜付き塗色評価パネルは、図８に示すように、塗色評価パネル１０の吊支用係合部３０を、パネル支持部材４０に取り付けた吊支具４１に係合させて吊支できるから、パネル縦方向が上下方向に延在する向きで塗色評価を行うことが可能である。
【００４６】
なお、図８においては、パネル支持部材４０に吊支した塗膜付き塗色評価パネル１０Ａの被塗面２１に形成された塗膜に、斜め上方から、照明装置４３によって可視光を照射する場合を例示しているが、照明装置４３の塗膜付き塗色評価パネルに対する相対位置、照射光の照射向きは適宜設定可能である。
また、照明装置４３としては、例えばメタルハライドランプや、太陽光と輝度分布が近い人工太陽灯等を好適に用いることができる。
【００４７】
塗色評価パネル１０は、凸曲面及び凹曲面をそれぞれ１以上形成された被塗面を有する構成であるため、この塗色評価パネル１０に塗料を塗装して塗膜を形成した塗膜付き塗色評価パネル、照明、観察者の目の相対位置を変えたときに、観察角度による塗色の複雑な変化を観察でき、塗色評価を充分に行うことができる。また、凸曲面及び凹曲面に塗料を塗装して形成した塗膜について、観察角度による塗色の変化を効率良く把握できるため、塗色評価を効率良く行える。
【００４８】
塗色評価パネル１０において、互いに隣接して形成された第１凸曲面２１１及び凹曲面２１４は、被塗主面２１ａに塗料を塗装して得られる塗色について、ハイライト及びシェードの同時評価を効率良く行うための凸凹曲面同時観察部を構成する。
第１凸曲面２１１はハイライトの塗色評価に好適に利用でき、凹形面２１４はシェードの塗色評価に好適に利用できる。
【００４９】
塗色評価パネル１０の凸凹曲面同時観察部は、第１凸曲面２１１と凹曲面２１４とが互いに隣接する構成により、被塗主面２１ａに塗料を塗装して得られる塗色のハイライトからシェードへの明度、色調、彩度の変化を把握しやすい等の利点がある。塗膜付き塗色評価パネルは、この変化を互いに異なる曲面において同時に観察できるため、上記の塗色変化を評価することが可能である。
また、第１凸曲面２１１と凹曲面２１４とが互いに隣接する構成は、照明、試験板、観察者の目の相対位置を変えて、観察角度による色の変化を観察、評価する場合に、ハイライト及びシェードの色のバランス、分布等の把握を効率良く行えるといった利点がある。
【００５０】
また、図示例の塗色評価パネル１０は、凸凹曲面同時観察部の他に、パネル横方向に延在する第２凸曲面２１２及び第３凸曲面２１３を有し、しかも、第２、第３凸曲面が凸凹曲面同時観察部に接近配置されているため、観察角度の相違による塗色のより複雑な変化までも観察可能である。また、この塗色評価パネル１０は、第１〜第３凸曲面２１１、２１２、２１３及び凹形面２１４の色のバランスを把握することで、より緻密な塗色評価を実現できる。
【００５１】
図２（ａ）、（ｃ）、図６等に示すように、図示例の塗色評価パネル１０のパネル本体２０の一対の曲げ片部２３は、面板部２２のパネル縦方向両端からパネル裏面側へ向かって、パネル縦方向において面板部２２外側へ傾斜して延出されている。
そして、図示例の塗色評価パネル１０、及び該塗色評価パネル１０に塗料を塗装した塗膜付き塗色評価パネル１０Ａ（図１０参照）は、図１０に示すように、一対の曲げ片部２３の間に、他のパネル（塗色評価パネル１０又は塗膜付き塗色評価パネル１０Ａ）のパネル本体２０を収納することで、複数を重ね合わせてスタッキングすることができる。図１０は、塗膜付き塗色評価パネル１０Ａのみを複数スタッキングした状態を例示するが、塗色評価パネル１０についても塗膜付き塗色評価パネル１０Ａと同様にスタッキングできる。また、塗色評価パネル１０と塗膜付き塗色評価パネル１０Ａとを混在させて複数のパネルをスタッキングすることも可能である。
また、図１０において、スタッキングによって互いに隣り合う塗膜付き塗色評価パネル１０Ａは、パネル本体の面板部の前記凸曲面の形成箇所同士、及び前記凹曲面の形成箇所同士の重ね合わせによって積層状態とされる。これにより、塗色評価パネル１０及び／又は塗膜付き塗色評価パネル１０Ａを複数スタッキングした積層体のコンパクト化を図ることができる。
【００５２】
塗色評価パネル１０、及び塗膜付き塗色評価パネル１０Ａは、複数をスタッキングして積層状態にすることで、保管スペースを縮小できる。また、塗色評価パネル１０、及び塗膜付き塗色評価パネル１０Ａを複数搬送する場合に、スタッキングによって積層状態にすることで、容易に一括搬送できるといった利点がある。
【００５３】
なお、本発明は、上述の実施形態に限定されず、その主旨を逸脱しない範囲で、適宜設計変更が可能である。
被塗面の凸曲面、凹曲面の数は、それぞれ１以上であれば良く、特に限定は無い。また、被塗面における凸曲面、凹曲面のサイズ及び配置は、適宜、設定可能である。
【００５４】
吊支用係合部としては、塗色評価パネル１０をパネル支持部材に吊支するために、パネル支持部材に取り付けられた吊支具に係合可能なものであれば良く、例えば図１１（ａ）、（ｂ）に示すように、板状の突片である既述の吊支用係合部３０あるいはパネル本体２０の曲げ片部２３に取り付けた鉤状係合片であっても良い。
図１１（ａ）に示す吊支用係合部は、既述の板状突片３０に前記係合孔３１を利用して係合して取り付けたＳ字金具３２等の鉤状係合片、図１１（ｂ）に示す吊支用係合部はパネル本体２０の曲げ片部２３に直接取り付けて突設した鉤状係合片３３である。なお、図１１（ｂ）のように、吊支用係合部をパネル本体２０の曲げ片部２３に直接取り付けた場合は、係合孔３１を省略した板状突片３０を採用できる。
【符号の説明】
【００５５】
１０…塗色評価パネル、１０Ａ…塗膜付き塗色評価パネル、２０…パネル本体、２１…被塗面、２１１…凸曲面（第１凸曲面）、２１２…凸曲面（第２凸曲面）、２１３…凸曲面（第３凸曲面）、２１４…凹曲面、２２…面板部、２３…曲げ片部、２５…境界線（第１境界線）、２８…境界線（第２境界線）、２９…境界線（第３０．．
境界線）、３０…吊支用係合部、３１…係合孔、３２…吊支用係合部（鉤状係合片）、３３…吊支用係合部（鉤状係合片）、
４０…パネル支持部材、４１…吊支具。
【図１】
0005624432.tif 000002
【図２】
0005624432.tif 000003
【図３】
0005624432.tif 000004
【図４】
0005624432.tif 000005
【図５】
0005624432.tif 000006
【図６】
0005624432.tif 000007
【図７】
0005624432.tif 000008
【図８】
0005624432.tif 000009
【図９】
0005624432.tif 000010
【図１０】
0005624432.tif 000011
【図１１】
0005624432.tif 000012